(57)【要約】【課題】  複数のスタックトレイの内、最上位のスタックトレイに積載されたシートを取り出しやすくする。【解決手段】  シート処理装置は、シート排出口４００Ａから排出されたシートが積載されて昇降可能な複数のスタックトレイ４２１，４２２と、スタックトレイを独立して昇降させる昇降装置と、スタックトレイの昇降距離をカウントするセンサと、選択したスタックトレイをシート排出口４００Ａから排出されるシートが積載されるようにセンサのカウントに基づいてスタックトレイを昇降制御するＣＰＵと、を備え、ＣＰＵ１００が、上ビンのスタックトレイ４２２の上昇を制限する上昇制限壁１２０ａと上ビンのスタックトレイに積載されたシートとの間に所定の距離Ｄをあけて、上ビンのスタックトレイの上昇を停止させるようになっている。【選択図】      図２４
2006111426.tif 000002
【特許請求の範囲】
【請求項１】
シートが排出されるシート排出部から排出された前記シートが積載されて昇降可能な上下方向に配列された複数のシート積載手段と、
前記複数のシート積載手段を独立して昇降させる昇降手段と、
前記シート積載手段の昇降距離をカウントする昇降距離カウント手段と、
前記複数のシート積載手段の内、選択したシート積載手段を前記シート排出部から排出されるシートが積載されるように前記昇降距離カウント手段のカウントに基づいて前記昇降手段を昇降制御する制御手段と、を備え、
前記制御手段が、最上位のシート積載手段の上昇を制限する上昇制限壁と前記最上位のシート積載手段に積載されたシートとの間に所定の距離をあけて、前記最上位のシート積載手段の上昇を停止させることを特徴とするシート処理装置。
【請求項２】
前記最上位のシート積載手段が、前記上昇制限壁まで上昇したことを検知する検知手段を備え、
前記制御手段が、前記最上位のシート積載手段が前記上昇制限壁から前記シートの積載を終了したときの積載終了位置まで下降した距離から、前記所定の距離を引いて求めた距離だけ、前記最上位のシート積載手段を前記積載終了位置から上昇させることを特徴とする請求項１に記載のシート処理装置。
【請求項３】
前記制御手段が、前記最上位のシート積載手段の下方隣のシート積載手段に前記シートを積載させるとき、前記最上位のシート積載手段を、前記下方隣のシート積載手段に前記シートの積載が完了するまで、前記所定の距離より短い距離の位置で、かつ前記シート排出部より上方に一旦上昇させておくことを特徴とする請求項１又は２に記載のシート処理装置。
【請求項４】
前記昇降距離カウント手段が、前記昇降手段によって回転するエンコーダと、前記エンコーダのクロック数を検知する検知センサとを備えたことを特徴とする請求項１に記載のシート処理装置。
【請求項５】
シートに画像を形成する画像形成手段と、
前記画像形成手段によって画像を形成されたシートが積載されるシート処理装置とを、備え、
前記シート処理装置が請求項１乃至４のいずれか１項に記載のシート処理装置であることを特徴とする画像形成装置。
【請求項６】
シートに画像を形成する画像形成手段と、
前記画像形成手段によって画像を形成されたシートが積載されるシート処理装置とを、備え、
前記シート処理装置が、
シートが排出されるシート排出部から排出された前記シートが積載されて昇降可能な上下方向に配列された複数のシート積載手段と、
前記複数のシート積載手段を独立して昇降させる昇降手段と、
前記シート積載手段の昇降距離をカウントする昇降距離カウント手段と、
前記複数のシート積載手段の内、選択したシート積載手段を前記シート排出部から排出されるシートが積載されるように前記昇降距離カウント手段のカウントに基づいて前記昇降手段を昇降制御する制御手段と、を備え、
前記制御手段が、最上位のシート積載手段の上昇を制限する上昇制限壁と前記最上位のシート積載手段に積載されたシートとの間に所定の距離をあけて、前記最上位のシート積載手段を停止させることを特徴とする画像形成装置。
【請求項７】
前記画像形成装置が側部を外部に開放された横向き凹部を備え、
前記シート処理装置が、前記横向き凹部に設けられ、
前記上昇制限壁が、横向き凹部の上部であることを特徴とする請求項５又は６に記載の画像形成装置。
【発明の詳細な説明】
【技術分野】
【０００１】
本発明は、シート処理装置及びこれを備えた画像形成装置に関する。
【背景技術】
【０００２】
従来、複写機、プリンタ、ファクシミリ及びこれらの複合機器等の画像形成装置には、画像形成を終えて画像形成装置本体から排出されるシートに綴じ処理、穿孔処理等の処理を施すシート処理装置を備えているものがある（特許文献１参照）。画像形成装置は、側部が開放された横向き凹部を備えており、その横向き凹部にシート処理装置が設けられている。
【０００３】
このようなシート処理装置としては、画像形成装置本体から排出されたシートをシート処理部に搬送し、このシート処理部で、排出されたシートを積載整合するシート積載整合動作、およびシートを綴じるステイプル動作等の処理を施して、さらにこのような処理が終わった後は、シート、あるいはシート束（以下、シート（束）という）をスタックトレイ（シート積載手段）に排出するようにしている。
【０００４】
さらに、一般的にシート処理装置の配置としては画像形成装置本体の側方に設けたものが多いが、画像形成部の上部に配置することにより、シート処理装置本体が画像形成装置からはみ出さないように構成して、省スペースを達成できるようにしたものが知られている。
【０００５】
【特許文献１】特開２００１−７２３１１号公報
【発明の開示】
【発明が解決しようとする課題】
【０００６】
ところが、処理されたシート（束）を積載するスタックトレイを１つしか備えていないシート処理装置の場合、昨今の複写機、プリンタ、ファクシミリ等の各モード（機能）を備えた複合機の装置本体に接続されると、複写機、プリンタ、ファクシミリ等のモードに対応して処理したシートを同一のスタックトレイに混載することになる。このため、各シートがどのモードで出力されたシートなのかを区別（判別）するのが困難であった。
【０００７】
このような問題に対処する方法として、複数のスタックトレイを上下方向に配列して個別に昇降できるようにし、モードに応じて所望のスタックトレイをシート排出口の下方に移動させ、そのスタックトレイにシートを積載する構成が考えられている。
【０００８】
しかし、複数段のスタックトレイを備えると、上記横向き凹部の限られた空間内で使用するスタックトレイを上位のスタックトレイから下位のスタックトレイに切り替えると、最上位のスタックトレイを上記空間内の上部に上昇させることになって、最上位のスタックトレイに積載されたシートを取り出しにくいという問題がある。
【０００９】
本発明は、複数のシート積載手段の内、最上位のシート積載手段に積載されたシートを取り出しやすくしたシート処理装置を提供することを目的としている。
【００１０】
本発明は、最上位のシート積載手段に積載されたシートを取り出しやすくしたシート処理装置を装置本体に備えてユーザがシートを取り扱いやすくした画像形成装置を提供することを目的としている。
【課題を解決するための手段】
【００１１】
上記目的を達成するため、本発明のシート処理装置は、シートが排出されるシート排出部から排出された前記シートが積載されて昇降可能な上下方向に配列された複数のシート積載手段と、前記複数のシート積載手段を独立して昇降させる昇降手段と、前記シート積載手段の昇降距離をカウントする昇降距離カウント手段と、前記複数のシート積載手段の内、選択したシート積載手段を前記シート排出部から排出されるシートが積載されるように前記昇降距離カウント手段のカウントに基づいて前記昇降手段を昇降制御する制御手段と、を備え、前記制御手段が、最上位のシート積載手段の上昇を制限する上昇制限壁と前記最上位のシート積載手段に積載されたシートとの間に所定の距離をあけて、前記最上位のシート積載手段の上昇を停止させるようになっている。
【００１２】
本発明のシート処理装置における、前記最上位のシート積載手段は、前記上昇制限壁まで上昇したことを検知する検知手段を備え、前記制御手段が、前記最上位のシート積載手段が前記上昇制限壁から前記シートの積載を終了したときの積載終了位置まで下降した距離から、前記所定の距離を引いて求めた距離だけ、前記最上位のシート積載手段を前記積載終了位置から上昇させるようになっている。
【００１３】
本発明のシート処理装置における、制御手段は、前記最上位のシート積載手段の下方隣のシート積載手段に前記シートを積載させるとき、前記最上位のシート積載手段を、前記下方隣のシート積載手段に前記シートの積載が完了するまで、前記所定の距離より短い距離の位置で、かつ前記シート排出部より上方に一旦上昇させておくようになっている。
【００１４】
本発明のシート処理装置の前記昇降距離カウント手段は、前記昇降手段によって回転するエンコーダと、前記エンコーダのクロック数を検知する検知センサとを備えている。
【００１５】
上記目的を達成するため、本発明の画像形成装置は、シートに画像を形成する画像形成手段と、前記画像形成手段によって画像を形成されたシートが積載されるシート処理装置とを、備え、前記シート処理装置が上記いずれか１つのシート処理装置である。
【発明の効果】
【００１６】
本発明のシート処理装置は、制御手段が、最上位のシート積載手段の上昇を制限する上昇制限壁と最上位のシート積載手段に積載されたシートとの間に所定の距離をあけて、最上位のシート積載手段を停止させるようになっているので、最上位のシート積載手段に積載されているシートを取り出しやすくすることができる。
【００１７】
本発明のシート処理装置は、制御手段が、最上位のシート積載手段の下方隣のシート積載手段にシートを積載させるとき、最上位のシート積載手段を、下方隣のシート積載手段にシートの積載が完了するまで、所定の距離より短い距離の位置で、かつシート排出部より上方に一旦上昇させておくようになっているので、下方隣のシート積載手段にシートを積載しやすくなる。
【００１８】
本発明のシート処理装置は、昇降距離カウント手段を、昇降手段によって回転するエンコーダとエンコーダのクロック数を検知する検知センサとで構成しているので、昇降手段の動作を利用してシート積載手段の昇降距離を確実にカウントすることができて、シート積載手段の位置を正確に検知することができる。
【００１９】
本発明の画像形成装置は、最上位のシート積載手段に積載されたシートを取り出しやすくしたシート処理装置を装置本体に備えているので、ユーザがシートを取り扱いやすくなる。
【発明を実施するための最良の形態】
【００２０】
以下、本発明の実施形態のシート処理装置と、このシート処理装置を装置本体に備えた画像形成装置である例えば複写機を図に基づいて説明する。
【００２１】
図１は、本発明のシート処理装置を装置本体に備えた複写機の概略構成正面図である。
【００２２】
なお、画像形成装置には、複写機、ファクシミリ、プリンタおよびこれらの複合機等がある。したがって、画像形成装置は、複写機に限定されるものではない。
【００２３】
また、本発明のシート処理装置４００は、複写機５００の装置本体５００Ａのみに接続されるものではない。また、シート処理装置４００は、複写機５００の装置本体５００Ａと別体になっているが、装置本体５００Ａ内に組み込まれていてもよい。
【００２４】
さらに、本実施形態のシート処理装置は、ステイプラユニット４２０（図２、図４参照）を備えてシート束を綴じるようになっているが、ステイプラユニット４２０の代わりに穿孔装置を備えてシート束に孔をあけるようになっていてもよい。したがって、シート処理装置は、シート束を綴じることのみに限定されるものではない。さらに、ステイプラユニットや穿孔装置は必ずしも必要としない。シート処理装置は、少なくとも、シートの後端を整合する機能のみ備えていてもよい。
【００２５】
なお、本発明において、シートのシート搬送方向の上流側端を後端、下流側端を先端、シートの搬送方向に沿った端を側端という。さらに、シート搬送方向に対して交差する方向をシートの幅という。したがって、シートの後端を揃えることを後端整合、側端を揃えることを側端整合という。シートの幅を揃えることを幅整合という。同じ幅同士のシートの幅を揃えるとき、側端整合と幅整合は、同じ整合のことを意味している。
【００２６】
複写機５００は、リーダ部１２０、画像形成手段である例えばプリンタ部２００、シート処理装置４００等で構成されている。複写機５００の装置本体５００Ａの上部には、原稿を１枚ずつプラテンガラス１０２上に供給する自動原稿給送装置３００（以下、「ＡＤＦ」という）を設けてある。複写機５００の装置本体５００Ａには、複写機５００から排出されたシートの後処理を行うシート処理装置４００が接続されている。
【００２７】
複写機５００は、ＡＤＦ３００によって供給された原稿の画像をリーダ部１２０で読み取ったり、ユーザがリーダ部１２０のプラテンガラス１０２に置いた原稿の画像をリーダ部１２０で読み取ったりして、その画像をプリンタ部２００でシートに複写する複写機として機能する他に、外部のパソコンから送られてきた画像信号をプリンタ部２００で受けて、その画像信号をシートに形成するプリンタとしても機能するようになっている。さらに、複写機５００は、リーダ部１２０で読み取った画像信号を他のファクシミリに送信したり、他のファクシミリからのファクシミリ信号をプリンタ部２００で受け取ったりして、その信号に基づいてシートに画像を形成するファクシミリとしても機能するようになっている。
【００２８】
複写機５００は、原稿画像を読み取って画像を形成する場合には、まず自動原稿給送装置（ＡＤＦ）３００上に積載された不図示の原稿を、ＡＤＦ３００によって、１枚ずつ順次リーダ部１２０のプラテンガラス１０２上に搬送する。
【００２９】
次に、原稿がプラテンガラス１０２上の所定位置へ搬送されると、リーダ部１２０のランプ１０３が点灯し、かつスキャナユニット１０４が移動して原稿を照射する。そして、この原稿からの反射光は、ミラー１０５，１０６，１０７及びレンズ１０８を通してＣＣＤイメージセンサ部１０９に入力され、このＣＣＤイメージセンサ部１０９において光電変換等の電気処理が行われ、通常のデジタル処理が施される。
【００３０】
次に、このように電気処理が施された画像信号はプリンタ２００の露光制御部２０１にて、変調された光信号に変換される。露光制御部２０１は、光信号をレーザ光として感光体ドラム２０２を照射する。そして、この照射光によって感光体ドラム２０２上に潜像が形成される。この潜像は、現像器２０３によって現像され、感光体ドラム２０２上でトナー像となる。
【００３１】
次に、このトナー像の先端とタイミングを合わせて、シートカセット２０４，２０５からシートＳが搬送され、転写部２０６にてトナー像がシートＳに転写される。そして、このシートＳに転写されたトナー像は、定着部２０７で定着される。この後、シートＳはシート排出部２０８から装置本体５００Ａの外部に排出される。
【００３２】
次に、このように画像形成を終えて、シート排出部２０８から排出されたシートＳは、シート処理装置４００に搬送され、このシート処理装置４００であらかじめ指定された動作モードに応じて仕分け、綴じ等の処理が行われて、所望するシート積載手段である例えばスタックトレイ（下ビンのスタックトレイ４２１または上ビンのスタックトレイ４２２）に積載される。なお、上ビンのスタックトレイ４２２は、最上位のシート積載手段の一例である。下ビンのスタックトレイ４２１は、下方隣のシート積載手段の一例である。
【００３３】
次に、シート処理装置４００について説明する。
【００３４】
シート処理装置４００は、図１に示すように、複写機５００の装置本体５００Ａの側部に側部を外部に開放された横向き凹部である例えば空間ＳＰに、複写機の装置本体５００Ａからはみだすことなく収納されている。なお、空間ＳＰは、装置本体５００Ａの階段状に形成した部分とリーダ部１２０の底面１２０ａとで形成されている。
【００３５】
シート処理装置４００は、シートを仕分けるソート機能に加えて、例えば、図４に示すステイプラユニット４２０による綴じ動作であるステイプル機能を備えている。シート処理装置は、図２に示すように、複写機５００の装置本体５００Ａ（図１参照）から順次排出されるシートＳを処理するための処理トレイ４１０と、処理トレイ４１０上で処理されたシート束を最終的に積載するスタックトレイ（下ビン）４２１及びスタックトレイ（上ビン）４２２等を備えており、原稿枚数に対応した枚数のシート束を処理トレイ４１０上で形成し、シート束毎にスタックトレイ（下ビン）４２１またはスタックトレイ（上ビン）４２２へ排出、積載できるようになっている。
【００３６】
シート処理装置４００は、複数個（本実施形態のシート処理装置４００においては、２個）のスタックトレイ４２１，４２２が独立して昇降できるという、従来にない構成になっている。さらに、シート処理装置４００は、単なるコピージョブだけでなく、プリンタやファクシミリなどの画像形成装置から離れてシートを出力するのに、スタックトレイ４２１，４２２を分けた分別積載が可能となり、ユーザニーズに大いに貢献することができる構造にもなっている。
【００３７】
なお、図１に示す、複写機５００の装置本体５００Ａの上部には、リーダ部１２０と自動原稿給送装置（ＡＤＦ）３００とを設けてあるが、これらの代わりにシート処理装置４００を設けてもよい。このように、シート処理装置４００を装置本体の設置スペース内にシート処理装置４００を設けることによって、複写機の設置スペースを狭くすることができる。
【００３８】
次にシート処理装置４００の構成について説明する。
【００３９】
図２において、シート受け入れ部４０１は、複写機の装置本体５００Ａから排出されたシートＳを受け取るようになっている。このシート受け入れ部４０１で受け取ったシートＳは、入口センサ４０３により検知された後、搬送ローラ４０５及びオフセットローラ４０７によって処理トレイ４１０に搬送されて積載される（図３参照）。処理トレイ４１０は、シートを処理するシート処理部４００Ｂに設けられている。処理トレイ４１０に積載されたシートＳは、図２に示すシート束排出センサ４１５により検知される。
【００４０】
オフセットローラ４０７は、円筒部材で構成されている。円筒部材は、外周部がゴムもしくは発泡体等、ゴムに近い弾性を備えた弾性体で形成されている。このオフセットローラ４０７は、オフセットローラホルダ４０６に支持されている。オフセットローラホルダ４０６は、図４に示す、オフセット軸５１１を支点にして、ピックアップソレノイド４３３によって上下方向に回動するようになっている。つまり、オフセットローラ４０７は、このピックアップソレノイド４３３のオン・オフにより、ソレノイドアーム５１２、レバーホルダ５１３、離間レバー５１４、オフセットローラホルダ４０６を介して上昇及び下降するようになっている。
【００４１】
また、オフセットローラ４０７は、処理トレイ４１０にシートＳが排出されるとき、ピックアップソレノイド４３３のオンによりソレノイドアーム５１２、レバーホルダ５１３、離間レバー５１４、オフセットローラホルダ４０６を介してシートＳの排出を妨げない上方の位置に移動するようになっている。これによりシートＳはオフセットローラ４０７に邪魔されることなく、処理トレイ４１０上に排出されて積載される。
【００４２】
また、このオフセットローラ４０７は、図４に示す搬送ローラ４０５を駆動する正逆転可能な搬送モータ４３１によりタイミングベルト５２３、ローラギヤ５２４、アイドラギヤ５２５、オフセットギヤ５２６、オフセットプーリ５２７、タイミングベルト５２２を介して回転するようになっている。オフセットローラ４０７は、搬送モータ４３１が回転すると、搬送モータ４３１の回転量に応じた量だけ搬送方向に回転（正転）、或いは搬送方向と逆方向に回転（以下、逆転という）するようになっている。
【００４３】
なお、ピックアップソレノイド４３３は、図２で後述するＣＰＵ１００がシートの後端が入口センサ４０３を抜ける入口センサ４０３のオフ信号を受けるとオフするようになっている。ピックアップソレノイド４３３がオフされると、オフセットローラ４０７は、シート搬送方向に回転しながら自重で下降してシート上に着地（当接）し、所定時間シートをシート搬送方向の下流側に搬送した後、さらに所定時間が経過すると逆転してシートをシート搬送方向の上流側に戻すようになっている。
【００４４】
このように、オフセットローラ４０７は、逆転することにより、シートの後端（上流端）をシート後端ストッパ４１１に突き当ててシートＳの後端の整合を行うようにしている。シート後端ストッパ４１１は、処理トレイ４１０の搬送方向上流側端部に立設されて、シートの後端を受け止めるようになっている。したがって、シートの後端整合は、オフセットローラ４０７がシートの後端をシート後端ストッパ４１１に突き当てることによって行われる。
【００４５】
なお、図４において、幅方向位置決め壁４１６は、シートの側端を受け止めてシートの側端整合を行えるようになっている。ステイプラユニット４２０は、幅方向位置決め壁４１６付近に配設されて、処理トレイ４１０上に形成されたシート束を綴じるようになっている。
【００４６】
オフセットローラ４０７は、正逆転可能なオフセットモータ４３２の駆動により、オフセットモータギヤ４３２ａ、オフセットピニオン５１６、オフセットラック５１５を介してシートの幅方向に移動して、幅方向位置決め壁４１６に接近離間するようになっている。
【００４７】
シート後端ストッパ４１１に突き当てられて後端整合されたシートは、オフセットローラ４０７が幅方向位置決め壁４１６に接近するのに伴って、オフセットローラ４０７の摩擦力によって幅方向位置決め壁４１６方向に引き摺られるようにして移動させられながら、シート押さえ５１０によってカールが矯正されて幅方向位置決め壁４１６に当接することで、側端整合されるようになっている。シートＳが幅方向位置決め壁４１６に突き当たった後、オフセットローラ４０７は、シート上を多少滑りながら幅方向位置決め壁４１６方に所定量移動して停止するようになっている。
【００４８】
したがって、シート処理装置４００が上記の動作をするオフセットローラ４０７を備えていることにより、処理トレイ４１０上に排出されたシートは、図５（ａ）に示すように、シート搬送方向に回転するオフセットローラ４０７によりスタックトレイ４２１，４２２側（シート搬送方向の下流側）に一旦搬送されてから、図５（ｂ）に示すようにオフセットローラ４０７の逆転により上流側に搬送されてシート後端ストッパ４１１に突き当てられて、後端を揃えられる。
【００４９】
後端を揃えられたシートは、その後、図５（ｃ）に示すようにシートに接触したオフセットローラ４０７がオフセット軸５１１に沿って幅方向位置決め壁４１６側に移動させられることによって引き摺られて幅方向位置決め壁４１６に突き当てられて、側端整合が行われる。
【００５０】
なお、この図５乃至図７、及び図２４に示すオフセットローラ４０７は、図４に示したオフセットローラ４０７と異なり、１対のオフセットローラホルダ４０６の間に位置しているが、この構成の違いは単に設計上の違いに過ぎず、図４に示したオフセットローラ４０７と構成、及び動作が同じである。
【００５１】
図４，図５において、シートクランプ部材４１２は、整合されたシートＳの後端部を付勢部５６０（図４参照）による付勢力により１対の爪４１２ｃ、４１２ｄで挟むようになっている。上側の爪４１２ｃが下側の爪４１２ｄに対して開いたり閉じたりするようになっている。シートクランプ部材４１２は、シートＳの側端整合が行われた後、図６（ａ）に示すように、オフセットローラ４０７がピックアップソレノイド４３３（図４参照）によって持ち上げられたとき、側端整合されたシートＳを図６（ｂ）に示すように挟むようになっている。
【００５２】
シートクランプ部材４１２は、シートＳを挟持することにより、処理トレイ４１０に先に排出（搬送）されたシートＳが、その後、順次送られてくるシートＳによって下流側に連れ送りされるのを防止するようになっている。
【００５３】
また、シートクランプ部材４１２は、オフセットローラ４０７が逆転しているときにはシートＳを受け入れることができるように、図７（ａ）に示すように上方に回動して開いている。また、シートクランプ部材４１２は、オフセットローラ４０７が側端整合をするシートを幅方向位置決め壁４１６の方へ移動させるときも、シートＳの移動の負荷とならないよう図７（ｂ）に示すように上方に回動して開いている。
【００５４】
また、図９において、シート束排出部材４１３は、処理されたシート束をスタックトレイ（下ビン）４２１またはスタックトレイ（上ビン）４２２に排出するようになっている。このシート束排出部材４１３は、シートクランプ部材４１２の上側の爪４１２ｃを回動自在に備えている。このシート束排出部材４１３は、整合されたシート束を、或は整合された後、ステイプルされたシート束を、シートクランプ部材４１２により保持したままでで、図９に示すように処理トレイ４１０の下流側に設けられたスタックトレイ（下ビン）４２１またはスタックトレイ（上ビン）４２２の方へ移動するようになっている。
【００５５】
シート束排出部材４１３は、図９の実線で示すシート排出位置である処理トレイ４１０の先端部に到達すると、シートクランプ部材４１２によりシート束ＳＡを保持したまま、スタックトレイ４２１，４２２上で停止する。そして、シート束排出部材４１３は、シートクランプ部材４１２がシート束ＳＡを開放するのにともなって、シート後端ストッパ４１１の方へ戻るようになっている。開放されたシート束ＳＡは、トレイ４２１，４２２に落下する。
【００５６】
このように本実施形態のシート処理装置４００は、シートクランプ部材４１２によってシート束ＳＡをスタックトレイ４２１，４２２に運んで落下させるようになっているので、従来、スタックトレイを約３０度程度、傾けていたのを、それよりも少ない角度の約９度で安定した状態でシート束を積載することができて、高さ方向が限られた空間に設置することができるようになっている。
【００５７】
なお、スタックトレイ４２１，４２２に排出されて積載されたシート束ＳＡは、図２に示す押さえ部材４２１Ａによりスタックトレイ４２１，４２２に押さえられるようになっている。このように、シート処理装置４００は、押さえ部材４２１Ａが、シート束ＳＡをスタックトレイ４２１，４２２に押さえるようになっているので、シートのカールによる積載量の低下を防止できるばかりか、すでに積載された先行シートが後続シートに押されて先行シートの積載位置がずれる等の積載性能の低下を防止することもできる。この結果、シート処理装置４００は、従来からある約３０度程度傾斜したスタックトレイ角度を設けることなく本実施の形態のような少ない略水平な角度で安定した積載性能を、限られた空間で達成することができる。
【００５８】
ここで、図８に示すシート束排出モータ４３０の駆動によりベルト５５１、プーリギヤ５５２を介して回転するスライドギヤＡ５５３及びスライドギヤＢ５５４に垂設されているピンＡ５５３ａ及びピンＢ５５４ａが、スライドギヤＡ５５３及びスライドギヤＢ５５４と一体に回転しながら、シート束排出部材４１３に形成されている不図示のガイド用スリット内を移動することによってシート束排出部材４１３が移動するようになっている。
【００５９】
そして、このように構成することにより、シート束排出部材４１３は、シート束排出モータ４３０によってスタックトレイ（１下ビン）４２１またはスタックトレイ（２上ビン）４２２にシートを排出する位置（図８（ｂ）参照）、及びシート後端ストッパ４１１（図２乃至図７参照）付近のホームポジションにスライドレール５５５（図８（ａ）、（ｂ）参照）に沿って往復移動するようになっている。なお、このシート束排出部材４１３は、通常シート束排出モータ４３０の励磁によってホームポジションに固定されている。
【００６０】
図１０において、クランプソレノイド４３４は、シートクランプ部材４１２を回動させるようになっている。クランプソレノイド４３４は、オフセットローラ４０７がシートを下流側に搬送した後、回転を停止したとき、及びオフセットローラ４０７が幅方向に移動するとき、オンとされ、レバー４３４ａ、及びシートクランプ部材４１２に設けられた解除レバー部４１２ａを介してシートクランプ部材の上側の爪４１２ｃを上方に回動させるようになっている。
【００６１】
なお、図２に示す押さえ部材４２１Ａは、図１１（ａ）に示すように、スライドギヤＢ５５４の下部に設置されているカムＢ５５４ｂによって、プレス部材５５６、レバー部材５５７、コイルばね５５８を介して動力が伝達され、上下方向に回動するようになっている。また、押さえ部材４２１Ａは、動力が伝達されていないとき、図１１（ｂ）に示すように、戻しコイルばね５５９により、スタックトレイ４２１，４２２のシートの積載面から離れて、上方に待避するようになっている。
【００６２】
押さえ部材４２１Ａは、シート束排出モータ４３０の回転によってスライドギヤＡ５５３とスライドギヤＢ５５４が回転することによりシート束排出部材４１３がシート束をスタックトレイ４２１、４２２に排出した後、カムＢ５５４ｂによるプレス部材５５６に対する押さえが解除されると、戻しコイルばね５５９によって、シート積載面に対し、シート束がスタックトレイ４２１、４２２に落下を可能な状態になるようにする。
【００６３】
この後、シート束がスタックトレイ４２１，４２２に落下し、シート束排出部材４１３がシート後端ストッパ４１１に戻る間際に、スライドギヤＢ５５４下部のカムＢ５５４ｂがプレス部材５５６を動作させ、レバー部材５５７、コイルばね５５８を介して押さえ部材４２１Ａを回動させ、押さえ部材４２１Ａによってシート束を保持する。
【００６４】
ところで、本実施の形態のシート処理装置４００は、既述したようにシートＳを幅方向に移動して、側端整合をした後、シートの後端整合のずれを補正するため、オフセットローラ４０７を再度逆転させて後端整合を再度行うようになっている。これにより、本実施の形態のシート処理装置４００は、シートの高精度な後端整合と側端整合とを行えるようになっている。そして、指定された枚数のシートの整合処理が完了すると、このクランプソレノイド４３４は、シートクランプ部材４１２を閉じてシート束を保持するようにしている。
【００６５】
次に、図１２は、スタックトレイを昇降させる昇降手段である例えば昇降装置５０９の図である。この昇降装置５０９は、トレイ毎に設けられている。また、昇降装置５０９は、昇降フレーム５４８に設けられている。昇降フレーム５４８には、スタックトレイが設けてある。図１２に基づいて、例えば、下ビンのスタックトレイ４２１の昇降動作を説明する。まず、スタックトレイ昇降モータ５３０の回転力が、ベルト５３１、プーリ５３２、回転軸５３３を介して、回転軸両端にあるウォームギヤａ５３４、ウォームギヤｂ５３５に伝達される。
【００６６】
そして、ウォームギヤａ５３４の回転力は、ウォームホイールａ５３６、ウォームホイールａ５３６に一体に形成されたギヤ１ａ５３７からギヤ２ａ５３８に伝達され、さらに、ギヤ２ａ５３８と一体に形成されたギヤ３ａ５３９に伝達される。
【００６７】
同様に、ウォームギヤｂ５３５の回転力は、ウォームホイールｂ５４１、ウォームホイールｂ５４１に一体に形成されたギヤ１ｂ５４２からギヤ２ｂ５４４に伝達され、さらに、ギヤ２ｂ５４４と一体に形成されたギヤ３ｂ５４３に伝達される。
【００６８】
最後、固定のラックａ５４０，ラックｂ５４５上をギヤ３ａ５３９，ギヤ３ａ５４３が転動することによって、スタックトレイ４２１が昇降する。
【００６９】
上ビンのスタックトレイ４２２にも、下ビンのスタックトレイ４２１と同様な昇降装置５０９が設けてあり、下ビンのスタックトレイ４２１と同様に昇降するようになっている。
【００７０】
図１２において、クラッチａ５６０は、プーリ５３２に連動して回転するようになっている。このクラッチａ５６０にはコイルばね５６１が巻きつけられている。コイルばね５６１の反対側はクラッチｂ５６２に巻き付いている。さらに、クラッチｂ５６２の溝には、回転軸５３３に圧入されているピン５６３が係合している。このような構成によって、回転軸５３３にスタックトレイ昇降モータ５３０の所望の回転トルクが伝達され、回転軸５３３の両端にあるウォームギヤａ５３４及びウォームギヤｂ５３５に回転力が伝達されるようになっている。
【００７１】
ところで、本実施形態のシート処理装置４００は、シート積載空間図ＳＰ１にスタックトレイ４２１，４２２を昇降可能に備えており、後述するように上ビンのスタックトレイ４２２の移動を検知して、スタックトレイ４２２の移動距離を算出するためのクロック円盤５６２ａおよびスタックトレイクロックセンサ５６４を備えている。
【００７２】
なお、クロック円盤５６２ａおよびスタックトレイクロックセンサ５６４の代わりに、スタックトレイ昇降モータ５３０にステッピングモータを使用し、ステッピングモータのハッスルパルスをカウントして、上ビンのスタックトレイ４２２の位置を検知してもよい。
【００７３】
次に、下ビンのスタックトレイ４２１と上ビンのスタックトレイ４２２のトレイ切り替え動作を説明する。
【００７４】
スタックトレイ（下ビン）４２１、スタックトレイ（上ビン）４２２は、図１２に示すスタックトレイ昇降モータ５３０によって、固定のラックａ５４０，ラックｂ５４５上をギヤ３ａ５３９，ギヤ３ａ５４３が転動することによって、それぞれ独立に昇降できるようになっている。スタックトレイ４２１，４２２の移動量は、スタックトレイクロックセンサ５６４からのクロック出力によりＣＰＵ１００に取り込まれる。
【００７５】
そして、スタックトレイ（下ビン）４２１、スタックトレイ（上ビン）４２２の２つのトレイの内、選択されたスタックトレイが昇降することにより、シート束排出部材４１３によって排出される処理されたシートを受け取ることができる。また、スタックトレイの選択は複写機の装置本体５００Ａからのシリアル通信によりシート毎に指定可能でありその指示により、下ビンのスタックトレイ４２１、上ビンのスタックトレイ４２２の切り替えが可能な構成になっている。
【００７６】
通常は複数（Ｎ）個（本実施の形態は２個）のスタックトレイを、シート束排出部材により排出されるシートのシート排出部である例えばシート排出口４００Ａをはさんで待機させた図１又は図２の状態では、スタックトレイ（下ビン）４２１の下側に空間が設けられているので、多くのシートを積載できるばかりか、スタックトレイ（上ビン）４２２が待避状態でも後述する内容により、上下ビンを切り替えて上ビンにも積載できるので、より多くのシートを積載しておくことが可能である。
【００７７】
ここで、スタックトレイ（下ビン）４２１がシートを受け取ることができる位置にあり、スタックトレイ（上ビン）４２２が上側に待避している場合（図１３（ａ））において、スタックトレイ（上ビン）４２２がシート排出口４００Ａの下方のシートを受け取り可能な位置に移動する動作について説明する。
【００７８】
スタックトレイ（下ビン）４２１の下方には、複写機の装置本体５００Ａの内部移動範囲の下限を検知する下限検知センサ５４６が設けられている。まず、スタックトレイ（下ビン）４２１が下限検知センサ５４６に検知される位置まで下降する。なお、このとき押さえ部材４２１Ａは、実線で示す待避位置に移動する（図１３（ｂ））。
【００７９】
次に、図４に示すピックアップソレノイド４３３がＯＮされ、オフセットローラホルダ４０６を介してオフセットローラ４０７が上方の待機位置に移動した状態で電磁クラッチ５１７がＯＮすることにより搬送モータ４３１の駆動がつながる状態になった後、搬送モータ４３１を所定量回転することにより、図１４（ｂ）に示すように電磁クラッチ５１７のギヤ部５１７ａ、アイドラギヤ５１８、カムギヤ５１９、シャッターレバー５２０を介してシャッタ５２１が下降する。
【００８０】
そして、このようにシャッタ５２１が下降して、処理トレイ４１０のシート排出口４００Ａを塞さぐことによって、シッター５２１によってシート後端部のガイド面が形成される（図１５（ａ））。この結果、本実施形態のシート処理装置４００は、スタックトレイ（上ビン）４２２の昇降時にスタックトレイ（上ビン）４２２に  既に積載されているシートが、処理トレイ４１０の方に逆流して入り込まないようになっている。
【００８１】
シャッタ５２１の下降が終了すると、スタックトレイ（上ビン）４２２は、下降を開始し、押さえ部材４２１Ａを通過した位置で停止する（図１５（ｂ））。この後、シャッタ５２１は上昇して、所望の位置で停止する。そして、待避していた押さえ部材４２１Ａが、シートを押さえることのできる位置に回転する。スタックトレイ（上ビン）４２２は、シートを受け取る位置まで上昇して停止する（図１６（ａ））。その後、スタックトレイ（上ビン）４２２は、スタックトレイ（下ビン）４２１と同様にシートを受け取ることができる。
【００８２】
次に、スタックトレイ（上ビン）４２２がシートを受け取ることができる位置にいて、スタックトレイ（下ビン）４２１が下側に待避している状態（図１６（ａ））から、スタックトレイ（下びん）４２１がシートを受け取る位置に昇降するトレイ切り替え動作を説明する。
【００８３】
この場合、まず、後述するＣＰＵ１００が、押さえ部材４２１Ａを待避位置に戻すとともに、シャッタ５２１を下降させて、上ビンのスタックトレイ４２２に既に積載されているシートがシート排出口４００Ａから処理トレイ４１０の方に逆流しないようにする（図１６（ｂ））。
【００８４】
上ビンのスタックトレイ４２２がシートを受け取り可能な位置にいるとき、ＣＰＵ１００で移動量カウンタ１１１をスタートさせる。スタックトレイ４２２が上昇を開始して、クロック円板５６２ａおよびスタックトレイクロックセンサ５６４によるクロックをＣＰＵ１００に取り込み、移動量カウンタ１１１をカウントアップさせる。この移動量カウンタ１１１によりスタックトレイ４２２の移動距離をＣＰＵ１００が算出しＲＡＭ１２１等に記憶させる。そして、スタックトレイ４２２は、シート排出口４００Ａを通過し、シート排出口４００Ａの上方に設けられた空間ＳＰＵ（図１参照）に上昇する。
【００８５】
なお、クロック円板５６２ａ、スタックトレイクロックセンサ５６４、及び移動量カウンタ１１１は、昇降距離カウント手段の一例である。
【００８６】
次に、シャッタ５２１は、所望の位置まで上昇してシート排出口４００Ａを開放した後、停止する（図１７（ｂ））。次に、待避していた押さえ部材４２１Ａは、シートを押さえることのできる位置に移動する。そして、スタックトレイ（下ビン）４２１は、シートを受け取る位置まで上昇して停止する（図１３（ａ））。この結果、スタックトレイ（下ビン）４２１は、シートを受け取ることができる。
【００８７】
図１９は、シート処理装置４００の制御部の構成を示すブロック図である。制御手段である例えばＣＰＵ１００は、内部にＲＯＭ１１０を有し、ＲＯＭ１１０には、後述する図２０、図２１、図２３に示す制御手順に対応する制御プログラムが格納されている。ＣＰＵ１１０は、このプログラムを読み出しながら各部の制御を行うようになっている。
【００８８】
また、ＣＰＵ１００は、作業用データや入力データが格納されたＲＡＭ１２１を内蔵しており、ＲＡＭ１２１に収納されたデータをもとに各部の制御を行うようになっている。さらに、ＣＰＵ１００は、スタックトレイの移動（昇降）量をカウントする移動量カウンタ１１１を有している。
【００８９】
ＣＰＵ１００の入力ポートには、入口センサ４０３、スタックトレイクロックセンサ５６４、下限検知センサ５４６、上限検知センサ５４７等のセンサが接続されている。ＣＰＵ１００はこれらのセンサの状態に基づき、ＲＯＭ１１０に格納された、図２０及び図２１及び図２３に示す制御手順に対応する制御プログラムを実行し、出カポートに接続された搬送モータ４３１、オフセットモータ４３２、シート束排出モータ４３０、スタックトレイ昇降モータ５３０等のモータ、ピックアップソレノイド４３３、クランプソレノイド４３４等のソレノイド等の負荷や、操作パネル５８０の表示部を制御するようになっている。
【００９０】
また、ＣＰＵ１００は、シリアルインターフェイス部（Ｉ／Ｏ）１３０を備えており、複写機５００の装置本体５００Ａの制御部１４０と制御データの授受を行うとともに、シリアルインターフェイス部（Ｉ／Ｏ）１３０を介して複写機の装置本体５００Ａの制御部１４０から送られてくる制御データをもとに各部の制御を行うようになっている。
【００９１】
なお、複写機の装置本体５００Ａは、シート排出部２０８から排出するシートのサイズを把握しているので、マイクロコンピュータシステムからなるシート処理装置４００のＣＰＵ１００は、複写機の装置本体５００Ａの制御部１４０とシリアル通信をすることにより、処理トレイ４１０上に挿入されたシートのサイズを把握することができるようになっている。
【００９２】
したがって、シート処理装置４００の制御部（ＣＰＵ１００）は、複写機の装置本体５００ＡからシートＳが排出（搬送）されるたびに、そのサイズを把握し、オフセットモータ４３２を制御することにより、オフセットローラ４０７の幅方向の移動量を制御することができる。これにより、オフセットローラ４０７は、処理トレイ４１０上に挿入されているシートＳのサイズに応じた量だけ移動し、シートの側部を位置決め壁４１６（図４参照）に確実に当接させることができる。
【００９３】
なお、本実施形態のシート処理装置４００は、スタックトレイ４２１に積載されたシート束が処理トレイ４１０の一部を構成していることから、処理トレイ４１０からシート束ＳＡが排出されると、スタックトレイ４２１は、積載されたシート束の最上面が処理トレイ４１０と略合致するまで、スタックトレイ昇降モータ５３０（図１２参照）により下降するようになっている。
【００９４】
次に、本実施形態のシート処理装置の動作を、図１乃至図１８、図２２、図２４に示す各部の構成図、図１９の制御ブロック図、図２０、図２１、図２３のフローチャートに基づいて説明する。
【００９５】
シート排出口５６５（図２４（ａ）参照）から本体内最上部（本実施の形態においては、リーダ部１２０の底面１２０ａまでの距離Ｌ１は、機構上の寸法によるが、あらかじめＲＡＭ１２１等に記憶してある。ＲＯＭ１１０にあらかじめ取り込んである規定値をＬ１として利用しても良い。
【００９６】
上ビンのスタックトレイ４２２にシートが排出されると（Ｓ６００）、ＣＰＵ１００は、スタックトレイ４２２の昇降制御を行う。ＣＰＵ１００は、上ビンのスタックトレイ４２２を上限検知センサ５４７に検知されるまで上昇させた後、シートの排出に応じて下降させる（高さ検知サブリーチン（ＳＵＢ）のＳ６０１、Ｓ６１１）。そのとき、ＣＰＵ１００は、スタックトレイクロックセンサ５６４により特定のパルスをカウントして上ビンのスタックトレイ４２２を停止させる（Ｓ６１３）。そのときのカウント数をＡとする。上限検知センサ５４７は、上ビンのスタックトレイ４２２がリーダ部１２０の上昇制限壁である例えば底面１２０ａまで上昇したことを検知する検知手段の一例である。
【００９７】
なお、カウント数Ａを算出するのに、上限検知センサまでスタックトレイ４２２を上昇させないで求める方法がある。すなわち、ＣＰＵ１００が、スタックトレイ４２２が、シートの排出が終了した位置（図２４（ｂ）で示す位置）からセンサ５４６ａで検知される所定の位置まで下降する高さＨ１をカウントし、その後、スタックトレイ４２２に積載されたシートがシート排出口４００Ａまで上昇されたことを検知するセンサ５４６ｂによって検知されるまで上昇させてその高さＨ２をカウントする。そして、ＣＰＵ１００は、シートの高さＣ（＝Ｈ２−Ｈ１）を求める。この結果、ＣＰＵ１００は、（Ｃ＋Ｌ１）によって、上記カウント数Ａを求めることができる。
【００９８】
そして、シートの排出が終了すると、ＣＰＵ１００は、上ビンのスタックトレイ４２２を上昇させる（Ｓ６１４）。ＣＰＵ１００は、上ビンのスタックトレイ４２２に積載されたシートの内、最上位のシートＳ１が上限検知センサ５４７にＯＮされるまでスタックトレイ４２２を上昇させる（Ｓ６１５）。その後、ＣＰＵ１００は、上ビンのスタックトレイ４２２を、リーダ部１２０の底面１２０ａと最上位のシートＳ１との間に所定の隙間（間隔）Ｄが生じるようにパルスカウントＤだけカウントする分だけ下降させて停止させる（Ｓ６１６）。
【００９９】
なお、ＣＰＵ１００は、図２４（ｂ）に示す位置にいる上ビンのスタックトレイ４２２を、最上位のシートＳ１とリーダ部１２０の底面１２０ａとの間に所定の隙間（間隔）Ｄが生じるようにパルスカウントＢ（＝Ａ−Ｄ）だけ上昇させてもよい。
【０１００】
このように、本実施形態のシート積載装置４００は、リーダ部１２０の底面１２０ａと最上位のシートＳ１との間にユーザがシートを取り出しやすい所定の隙間（間隔）Ｄが生じるようになっているので、シートに損傷を与えることなくシートを取り出すことができる。
【０１０１】
上ビンのスタックトレイ４２２に積載されたシートの高さは、Ｃ（＝Ａ−Ｌ１）である。
【０１０２】
図２４（ａ）に示すように、上ビンのスタックトレイ４２２が上昇したとき、（Ｄ＋Ｃ）≧Ｌ１であるとき、上ビンのスタックトレイ４２２、或いはスタックトレイ４２２上のシートによってシート排出口４００Ａを塞ぐため、下ビンのスタックトレイ４２１にシートを排出することができない。したがて、ＣＰＵ１００は、スタックトレイを上ビンのスタックトレイ４２２から下ビンのスタックトレイ５２１に切り替え制御を行なわないで（Ｓ６０２でＮＯ）、シートの受け取りを終了する。同時にＣＰＵ１００は、そのことを、通信で本体５００Ａの制御部１４０に通知する。また、ＣＰＵ１００は、操作パネル５８０（図１参照）の表示部に下ビンのスタックトレイ４２１にシートが積載されないことを表示する。
【０１０３】
（Ｄ＋Ｃ）＜Ｌ１の場合、上ビンのスタックトレイ４２２がシート排出口４００Ａの上方にいることになり、シート排出口４００Ａを塞ぐことがないので、下ビンのスタックトレイ４２１にシートを積載することができる。そこで、ＣＰＵ１００は、シートの積載動作を上ビンのスタックトレイ４２２から下ビンのスタックトレイ４２１に切り替える動作を行なう（Ｓ６０２でＹＥＳ）。
【０１０４】
そして、ＣＰＵ１００は、装置本体５００Ａで複写動作を行っているか否かを判断する（Ｓ６０３）。複写動作を行っているとき（Ｓ６０３でＹＥＳ）、ＣＰＵ１００は、下ビンのスタックトレイ６２１にシートを排出しやすくするため、上ビンのスタックトレイ６２２を上昇させ、隙間（間隔）Ｄを狭めて、上ビンのスタックトレイ６２２と下ビンのスタックトレイ６２１との間隔を広げる。そして、下ビンのスタックトレイ６２１にシートの積載が終了すると、ＣＰＵ１００は、上ビンのスタックトレイ６２２を上記隙間（間隔）Ｄが生じるように下降させて、一連の処理を終了する。
【０１０５】
Ｓ６０３において、装置本体５００Ａで複写動作を行っていない場合には（Ｓ６０３でＮＯ）、ＣＰＵ１００は、上ビンのスタックトレイ６２２を上記隙間（間隔）Ｄ以上の隙間が生じる位置に停止させる。
【０１０６】
このように複写機の装置本体５００Ａの側部に形成された空間ＳＰ（図１参照）に収納されているシート処理装置４００に複数のスタックトレイ４２１，４２２を独立して昇降可能に設けるとともに、これらスタックトレイ４２１，４２２にシートを選択的に積載することができるようにすることによって、シート処理装置４００が複写機、プリンタ、ファクシミリ等のモードを備えた複合プリンタに内蔵された場合でも、省スペースが可能で、かつどのモードで出力されたシートなのかを容易に区別することができる。
【０１０７】
また、コピー、プリンタ、ファクシミリ等のモードに応じた分別積載が可能になり、オフィスニーズに最適な装置を提供することができる。
【０１０８】
また、スタックトレイ（上ビン）４２２をシート排出口４００Ａよりも上方に移動させることにより、複写機の装置本体５００Ａの側部に形成された空間ＳＰのうち、スタックトレイ４２１，４２２を昇降可能とするシート積載空間ＳＰ１におけるシート排出口４００Ａの上方の空間ＳＰＵをシート積載用の空間として利用することができ、これにより多量のシートを積載することができる。
【０１０９】
なお、シート排出口４００Ａの上方の空間ＳＰＵをシート積載用の空間として利用する場合には、シート排出口４００Ａをシート積載空間ＳＰ１の高さ方向の略中央に設けることが好ましい。そして、このような位置にシート排出口４００Ａを設けることにより、シート積載空間ＳＰ１を効率的に使用して多量のシートを積載することができる。
【０１１０】
これまでの説明においては、スタックトレイを２個備えた場合について述べてきたが、スタックトレイを複数（Ｎ）個設け、シート排出口４００Ａの上方の空間ＳＰＵを、複数（Ｎ）個のスタックトレイのうち（ｎ−１）個のスタックトレイを移動可能にすると、限られたシート積載空間ＳＰ１を効率的に使用して多量のシートを積載することもできる。
【０１１１】
さらに、シート排出口４００Ａを複写機、プリンタ、ファクシミリ等のモードにおける共通のシート排出口とし、この共通のシート排出口４００Ａから複数のスタックトレイに選択的にシートを排出するようにすると、省スペースが可能で、かつ高さ寸法を抑えることができる。
【０１１２】
また、シート排出口４００Ａを共通のシート排出口とするとともに、１つのシート束排出部材４１３によってシートをそれぞれシート排出口４００Ａからスタックトレイに排出するようにすると、構成をシンプルにすることができ、コストダウンを図ることもできる。
【０１１３】
なお、スタックトレイ４２１，４２２のシート排出方向下流端部には、図１８（ａ）に示すように、サブトレイ４２１ａが引き出し可能に収納されている。このスタックトレイ４２１，４２２は複写機の装置本体５００Ａからはみ出すことなく配置され、ユーザ頻度の高いＡ４、Ｂ５、レターサイズ（またはこれらより小さいサイズのシート）などはこのままの状態で積載できるようになっている。
【０１１４】
一方、スタックトレイ４２１，４２２は、図１８（ａ）（ｂ）に示すように、Ａ３サイズやＢ４サイズ、リーガルサイズなどの大きいサイズのシートが積載される場合は、必要に応じてスタックトレイ４２１，４２２の内側に収納されているサブトレイ４２１ａを引き出せるようになっている。さらに、スタックトレイ４２１，４２２は、このサブトレイ４２１ａに、他のサブトレイ４２１ｂをスライド自在に有しており、シートのサイズに応じて図１８（ｂ）に示すように２つのサブトレイ４２１ａ，４２１ｂを引き出せるようになっている。このため、スタックトレイ４２１，４２２は、シートを良好に積載することができる。
【０１１５】
次に、以上のように構成された本実施の形態のシート処理装置４００のシート処理動作を図２０及び図２１に示すフローチャートに沿って説明する。
【０１１６】
まず、複写機の装置本体５００Ａによる画像形成動作が開始されると、シート処理装置４００のＣＰＵ１００（図１９参照）は、複写機の装置本体５００Ａからシート排出信号を受信したか否かをチェックする（Ｓ１００）。ここで、シート排出信号を受信した場合（Ｓ１００のＹＥＳ）、ピックアップソレノイド４３３をオンし（Ｓ１１０）、オフセットローラホルダ４０６によって支えられているオフセットローラ４０７を引き上げる。
【０１１７】
次に、ＣＰＵ１００は、搬送モータ４３１をオンし（Ｓ１２０）、排紙パス途中に設置されている搬送ローラ４０５が、複写機の装置本体５００Ａの排紙方向と同じ方向にシートを搬送できるようにする。ここで、最初のシートは、先端で入口センサ４０３をオンにして（Ｓ１３０のＹＥＳ）、搬送ローラ４０５に到達する。そして、シートは、搬送ローラ４０５によって複写機の装置本体５００Ａのシート排出部２０８（図１参照）からシートが離れると（Ｓ１４０のＹＥＳ）、シート処理装置に受け渡されたことになる。
【０１１８】
次に、ＣＰＵ１００は、搬送ローラ４０５によりシートを処理トレイ４１０まで搬送しつつ、シートの後端が入口センサ４０３を抜ける入口センサ４０３のオフ信号を受けるとピックアップソレノイド４３３をオフする（Ｓ１５０）。オフセットローラ４０７を自重でシートの上に着地する。この後、ＣＰＵ１００は、図５（ａ）に示すように、オフセットローラ４０７によりシートＳを所定位置まで搬送させる（Ｓ１６０）。そして、ＣＰＵ１００は、シートＳが所定の位置まで搬送されると（Ｓ１６０のＹＥＳ）、搬送モータ４３１の回転を停止し（Ｓ１７０）、シートＳの搬送を停止させる。
【０１１９】
次に、ＣＰＵ１００は、オフセットローラ４０７の回転が止まった時点でクランプソレノイド４３４をオンし（Ｓ１８０）、図５（ｂ）に示すように、シート後端ストッパ４１１の近傍に設置されているシートクランプ部材４１２を開く。この後、ＣＰＵ１００は、搬送モータ４３１を搬送方向とは逆方向に回転させ、オフセットローラ４０７によってシートＳを引き戻し（Ｓ１９０）、シート後端をシート後端ストッパ４１１に突き当てる。
【０１２０】
なお、シートの後端をシート後端ストッパ４１１に突き当てるときのオフセットローラ４０７の回転量は、複写機の装置本体５００Ａから送られてくるときに生じるシートＳの斜行を考慮し、シートＳの搬送を止めてスイッチバックさせる地点からシート後端ストッパ４１１までの距離よりも若干多く搬送できるようにＣＰＵ１００によって制御されている。つまり、ＣＰＵ１００は、オフセットローラ４０７を、シートＳをシート後端ストッパ４１１に当接させる距離だけ搬送した後も、所定時間逆転させるようにしている。
【０１２１】
これにより、シートＳをシート後端ストッパ４１１に確実に当接させることができる。なお、このように所定時間逆転させる間にシートＳがシート後端ストッパ４１１に当接した場合、オフセットローラ４０７はシート上を空回り（スリップ）するようになっている。
【０１２２】
次に、ＣＰＵ１００は、複写機の装置本体５００Ａからのサイズ情報により排出されるシートサイズをチェックし（Ｓ２００）、排出されるシートＳのサイズに応じたオフセット移動量、即ち処理トレイ上４１０に排出されたシートＳを幅方向位置決め壁４１６に押し付けるために必要なシートＳの幅方向の移動距離を算出する（Ｓ２１０）。
【０１２３】
そしてＣＰＵ１００は、オフセットローラ４０７を、図５（ｃ）に示すようにオフセットモータ４３２により、オフセットピニオン５１６（図４参照）とオフセットラック５１５を介して幅方向位置決め壁４１６までオフセット移動させる（Ｓ２２０）。ここで、オフセットローラ４０７が移動するとき、オフセットローラ４０７に接したシートＳは、オフセットローラ４０７の摩擦力によって幅方向位置決め壁４１６の方に、オフセットローラ４０７と共に移動する。なお、このときシートクランプ部材４１２は、シートＳの移動の負荷とならないように図７（ｂ）に示すように開いている。
【０１２４】
次に、オフセットローラ４０７は、シートＳを図５（ｃ）に示すように、幅方向位置決め壁４１６に突き当てた後、若干シートＳの上を滑りながら移動して止まる。この後、ＣＰＵ１００は、シートをオフセット移動させたことによって生じるシート後端の整合ズレを補正するため、オフセットローラ４０７を再び逆転させてシートＳの引き戻しを行う（Ｓ２３０）。これによって、１枚目のシートＳの後端が再整合されて、シートの整合が完了する。
【０１２５】
次に、このように１枚目のシートＳの整合が完了すると、ＣＰＵ１００は、ピックアップソレノイド４３３をオンにして（Ｓ２４０）、図６（ａ）に示すように、オフセットローラ４０７を上昇させた後、クランプソレノイド４３４をオフにする（Ｓ２５０）。これにより、図６（ｂ）に示すようにシートクランプ部材４１２が閉られ、整合済みのシートＳは、シートクランプ部材４１２に挟持保持される。この結果、最初に排出されたシートＳが、次に排出される後続シートによって、シート搬送方向の下流側に連れ送りされることを防ぐことができる。
【０１２６】
次に、図６（ｂ）に示すように、オフセットローラ４０７は、持ち上げられたまま、オフセットモータ４３２により、オフセットピニオン５１６（図４参照）とオフセットラック５１５を介してホームポジションまで復帰移動する（Ｓ２６０）。
【０１２７】
ＣＰＵ１００は、処理トレイ４１０上に収容されたシートＳが、複写原稿の最終ページに対応した最終のシートか否かをチェックし（Ｓ２７０）、複写機の装置本体５００Ａから送られてきた情報に基づいて最終のシートＳでないと判断した場合（Ｓ２７０のＮＯ）、Ｓ１００の処理に戻って、次に複写機の装置本体５００Ａから送られるシート排出信号を受信し、最終のシートＳが処理トレイ４１０に積載される、前述のフローを繰り返す。
【０１２８】
これにより、シート処理装置４００のＣＰＵ１００は、複写機の装置本体５００ＡからシートＳが排出される毎に、シートＳのサイズを把握するとともに、そのシートＳに適したオフセット移動量を算出して、そのオフセット移動量に基づいて、オフセットローラ４０７を移動させ、シートの側端を幅方向位置決め壁４１６に整合させる。
【０１２９】
ＣＰＵ１００は、最終シートであると判断された場合（Ｓ２７０のＹＥＳ）、処理トレイ４１０上に複写原稿に対応したシート束が形成されていることになるので、次に、ステイプル処理が選択されているか否かをチェックし（Ｓ２８０）、選択されている場合には（Ｓ２８０のＹＥＳ）、ステイプラユニット４２０を駆動して、図２２に示すステイプル処理を実行する（Ｓ２９０）。
【０１３０】
ステイプル処理が選択されていない場合（Ｓ２８０のＮＯ）、或いはステイプル処理が完了した場合、ＣＰＵ１００は、図９に示すように、シート束ＳＡをシートクランプ部材４１２により掴んだシート束排出部材４１３を、シート束排出モータ４３０によりスタックトレイ４２１，４２２の方に前進させ、シート束ＳＡを排出させる（Ｓ３００）。
【０１３１】
次に、ＣＰＵ１００は、シート束ＳＡの排出動作にあわせてスタックトレイ４２１の下降処理を行い（Ｓ３１０）、この後、シート束排出部材４１３をホームポジションに戻す（Ｓ３２０）。さらに、この後、ＣＰＵ１００は、搬送ローラ４０５、オフセットローラ４０７の回転を止めるため搬送モータ４３１を停止させ（Ｓ３３０）、ピックアップソレノイド４３３をオフさせることにより（Ｓ３４０）、オフセットローラ４０７を下げて一連の処理を終了する。
【０１３２】
本実施形態のシート処理装置４００は、シートの後端をシート後端ストッパ４１１に突き当てるときのオフセットローラ４０７の回転量を、シートＳの搬送を止めてスイッチバックさせる地点から、シート後端ストッパ４１１までの距離よりも若干多く搬送できるような回転量にしてあるので、言い換えれば、オフセットローラ４０７の逆転によりシートＳをシート後端ストッパ４１１に当接させる距離だけ搬送した後も、オフセットローラ４０７を所定時間逆転させるようになっているので、シートＳをシート後端ストッパ４１１に確実に当接させることができる。
【０１３３】
本実施形態のシート処理装置４００は、多くの部材を必要としない簡素な構成で、安定してシートＳの後端を整合することができる。また、シートを飛ばすように排出しないため、暴れの少ない安定したシートの搬送を行うことができる。
【０１３４】
なお、オフセットローラ４０７は、ステイプル処理モードの場合、シートを幅方向に移動させて位置決め壁４１６に突き当てているが、ステイプル処理モードでない（シートを綴じない）場合、シートの仕分けを行うことなく、そのまま排出するようにしてもよい。
【０１３５】
また、ステイプラユニット４２０は、固定式となっており、幅方向位置決め壁４１６付近に配設されているが、これに限らず、移動式にして、シート搬送方向又は幅方向に移動できるようにしてもよい。このようにステイプラユニット４２０を移動式にすると、ステイプラユニット４２０は、シート束ＳＡのシート搬送方向、或は幅方向の別箇所や複数箇所を綴じるステイプル処理を行うことができる。
【０１３６】
さらに、本実施の形態のシート処理装置は、シートの後端と側端を整合するのに、オフセットローラ４０７を使用したが、ローラ部材でなく、部材自体がシート搬送方向に移動してシートを搬送するシート搬送方向移動手段と、シート搬送方向に対して直交する方向（幅方向）へ移動してシートを幅方向へ移動させるシート直交方向移動手段を用いても同様の効果が得られる。
【０１３７】
さらに、本実施形態のシート処理装置は、図２０、図２１、図２３のフローチャートに示す制御手順に対応するプログラムをＲＯＭ１１０に記憶し、そのプログラムをＣＰＵ１００が読み出しながら制御を行っているが、制御プログラム上の処理をハードウェアが行うように構成しても同様の効果が得られる。
【０１３８】
なお、これまでの説明においては、スタックトレイ４２１，４２２の昇降制御、ステイプル動作制御等をシート処理装置４００のＣＰＵ１００により行う場合について述べてきたが、本発明は、これに限らず、複写機の装置本体に設けられた制御部１４０により行うようにしてもよい。
【図面の簡単な説明】
【０１３９】
【図１】本発明の実施形態に係るシート処理装置を備えた画像形成装置の概略正面断面図である。
【図２】図１に示すシート処理装置の概略正面断面図である。
【図３】図２に示すシート処理装置の処理トレイ上にシートが排出される様子を示す図である。
【図４】図１に示すシート処理装置のオフセットローラ及び搬送ローラの駆動機構の斜視図である。
【図５】図２に示すオフセットローラの動作、それに伴うシートの動きを説明するための図である。（ａ）は、処理シートに排出されたシートを一旦下流側に搬送している状態の図である。（ｂ）は、（ａ）に続いてシートを上流側に戻し搬送している状態の図である。（ｃ）は、（ｂ）に続いてシートを幅方向に移動させている状態の図である。
【図６】図５に続いた動作説明用の図である。（ａ）は、図５（ｃ）に続いて、オフセットローラをシートから離した状態の図である。（ｂ）は、（ａ）に続いてオフセットローラを初期位置に戻した図である。
【図７】シートクランプ部材がシートを挟んでいないときの図である。（ａ）は、シートが後端ストッパに当接した状態の図である。（ｂ）は、シートが幅方向整合位置決め壁に当接した状態の図である。
【図８】図２に示すシート処理装置のシート束排出部材の駆動機構を説明するための図である。（ａ）は、シートクランプ部材が待機位置にいる図である。（ｂ）は、シートクランプ部材がシート束を排出する位置まで移動した図である。
【図９】シート束排出部材がシート束をスタックトレイに排出する動作説明用の図である。
【図１０】図２に示すシート処理装置のシートクランプ部材の駆動機構を説明するための図である。
【図１１】図２に示すシート処理装置の押さえ部材の駆動機構を説明するための図である。（ａ）押さえ部材がシートを押さえる位置にいるときの図である。（ｂ）押さえ部材がシートを押さえていない位置にいるときの図である。
【図１２】図２に示すシート処理装置のスタックトレイを昇降させる昇降装置の図である。
【図１３】図２に示すシート処理装置のスタックトレイ（下ビン）、スタックトレイ（上ビン）及びシャッタの動きを説明するための図である。（ａ）スタックトレイ（下ビン）がシートを受け取ることができる位置にあり、スタックトレイ（上ビン）が上側に待避している状態の図である。（ｂ）は、スタックトレイ（下ビン）が（ａ）に示す状態から下降した状態の図である。
【図１４】図２に示すシート処理装置のシャッタの駆動機構を説明するための図である。（ａ）は、シャッタが上昇した状態を示す図である。（ｂ）は、シャッタが下降した状態を示す図である。
【図１５】図２に示すシート処理装置のスタックトレイ（下ビン）、スタックトレイ（上ビン）及びシャッタの動きを説明するための図である。（ａ）は、シャッタが閉まっている状態を示す図である。（ｂ）は、シャッタが閉まった状態でスタックトレイ（上ビン）が下降した状態を示す図である。
【図１６】図２に示すシート処理装置のスタックトレイ（下ビン）、スタックトレイ（上ビン）及びシャッタの動きを説明するための図である。（ａ）は、図１５（ｂ）の状態からシャッタが開いた状態を示す図である。（ｂ）は、（ａ）に続いてシャッタが閉まった状態を示す図である。
【図１７】図２に示すシート処理装置のスタックトレイ（下ビン）、スタックトレイ（上ビン）及びシャッタの動きを説明するための図である。（ａ）は、シャッタが閉まって、スタックトレイ（上ビン）が上昇した状態を示す図である。（ｂ）は、スタックトレイ（下ビン）にシートが積載できるようになった状態を示す図である。
【図１８】図２に示すシート処理装置のスタックトレイ（下ビン）、スタックトレイ（上ビン）の構成を説明するための図である。（ａ）は、サブトレイがスタックトレイに収納されている状態の図である。（ｂ）は、サブトレイがスタックトレイから引き出された状態を示す図である。
【図１９】図２に示すシート処理装置の制御部の構成を示すブロック図である。
【図２０】図２に示すシート処理装置のシート処理動作の一部を説明するフローチャート図である。
【図２１】図２２に続いたフローチャートである。
【図２２】図２に示すオフセットローラによりオフセットされたシートをステイプル処理をする様子を示す図である。
【図２３】上ビンのスタックトレイに積載されたシートとリーダ部の底面との間に隙間を設けるための動作説明用のフローチャートである。
【図２４】上位ビンのスタックトレイに積載されたシートとリーダ部の底面との間に隙間を設けるための、スタックトレイの動作説明用の図である。（ａ）は、上ビンのスタックトレイに積載されたシートとリーダ部の底面との間に隙間（間隔）Ｄを形成した状態の図である。（ｂ）は、上ビンのスタックトレイにシートが積載できる状態の図である。
【符号の説明】
【０１４０】
Ｓ          シート
Ｄ          隙間（間隔）（上昇制限壁と最上位のシート積載手段に積載されたシートとの間の所定の距離）
ＳＡ        シート束
ＳＰ        側部を外部に開放された空間（横向き凹部）
ＳＰ１      シート積載空間
ＳＰＵ      シート排出口の上方の空間
１００      ＣＰＵ（制御手段）
１１１      移動量カウンタ（昇降距離カウント手段）
１２０      リーダ部
１２０ａ    リーダ部の底面（上昇制限壁）
２００      プリンタ部
４００      シート処理装置
４００Ａ    シート排出口（シート排出部）
４００Ｂ    シート処理部
４０７      オフセットローラ
４１０      処理トレイ
４１１      シート後端ストッパ
４１２      シートクランプ部材
４１３      シート束排出部材
４１６      位置決め壁
４２０      ステイプラユニット
４２１      下ビンのスタックトレイ（シート積載手段、下方隣のシート積載手段）
４２２      上ビンのスタックトレイ（シート積載手段、最上位のシート積載手段）
５００      画像形成装置
５００Ａ    画像形成装置本体
５０９      昇降装置（昇降手段）
５３０      スタックトレイ昇降モータ
５３３      回転軸
５４７      上限検知センサ（検知手段）
５６１      コイルバネ
５６２ａ    スタックトレイクロック円板（昇降距離カウント手段）
５６４      スタックトレイクロックセンサ（昇降距離カウント手段）
【図１】
2006111426.tif 000003
【図２】
2006111426.tif 000004
【図３】
2006111426.tif 000005
【図４】
2006111426.tif 000006
【図５】
2006111426.tif 000007
【図６】
2006111426.tif 000008
【図７】
2006111426.tif 000009
【図８】
2006111426.tif 000010
【図９】
2006111426.tif 000011
【図１０】
2006111426.tif 000012
【図１１】
2006111426.tif 000013
【図１２】
2006111426.tif 000014
【図１３】
2006111426.tif 000015
【図１４】
2006111426.tif 000016
【図１５】
2006111426.tif 000017
【図１６】
2006111426.tif 000018
【図１７】
2006111426.tif 000019
【図１８】
2006111426.tif 000020
【図１９】
2006111426.tif 000021
【図２０】
2006111426.tif 000022
【図２１】
2006111426.tif 000023
【図２２】
2006111426.tif 000024
【図２３】
2006111426.tif 000025
【図２４】
2006111426.tif 000026